(57)【特許請求の範囲】
【請求項１】
物品の収納空間を有する箱形形状の本体の下部に本体から下方に突出するキャスターが設けられ、キャビネットの収納部からの引き出しと収納とが可能とされるとともに、本体上端部に踏み板が開閉自在に設けられた踏み台兼収納庫であって、下部に切欠を有するロックバーが、前記本体の後端部の左右両側のそれぞれの外側方に上下に回動自在に配設され、２つのロックバーは連結され、踏み台兼収納庫の引き出し位置に対応して本体側部に対向するキャビネットの収納部の左右両側のそれぞれの内側部に前記切欠に嵌合可能なストッパーが内方に突設され、踏み台兼収納庫を引き出したときにロックバーが下方に回動し、切欠にストッパーが嵌り込み、踏み台兼収納庫がロックされた状態に保持されることを特徴とする踏み台兼収納庫。
【請求項２】
前記ロックバーは下部の前後方向に複数の切欠を有し、いずれの切欠もストッパーの嵌合が可能とされていることを特徴とする請求項１に記載の踏み台兼収納庫。
【請求項３】
本体後端部のロックバーと重ならない位置に外側方に突出するリブが設けられ、踏み台兼収納庫の引き出し位置に対応して本体側部に対向するキャビネットの収納部の内側部にリブの上面に接触可能な跳ね上がり防止部材が配設され、踏み板の前端部に荷重がかかり、本体後端部が上方に跳ね上がりそうになったときに、リブの上面が跳ね上がり防止部材に接触し、跳ね上がり防止部材がリブを下方に押し戻し、本体後端部の跳ね上がりを防止することを特徴とする請求項１または２に記載の踏み台兼収納庫。
【発明の詳細な説明】
【技術分野】
【０００１】
本発明は、物品を収納してキャビネットの収納部に納めることができるとともに、収納部から引き出して踏み台として使用することもできる踏み台兼収納庫に関する。
【背景技術】
【０００２】
流し台などの厨房装置や洗面化粧台などのキャビネットには、下部に収納部が形成され、この収納部に引き出し自在に収納庫が配設されたものが知られている。収納庫は、物品の収納空間を有する上方に開口した箱形形状の本体を有し、本体下部にキャスターが設けられている。備品などの物品を取り出し、収納する際には、本体前端部を形成する前板の上端に配設された取っ手部を握って収納庫をキャビネットの前方に引き出し、物品の取り出し、収納後には前板を後方に押し、収納庫を押し戻してキャビネット下部の収納部に納める。このような収納庫は、キャビネットの収納量を増大させるものとして有効とされている。
【０００３】
また、収納庫には、本体上端部に踏み板が開閉自在に設けられたものがあり、本体の上端開口を踏み板により覆うことにより、収納庫を踏み台として使用することができ、キャビネットの上部からの物品の取り出し、収納の際に、収納庫の上に乗ることができ、作業を容易にしている。
【０００４】
このような踏み台を兼用する踏み台兼収納庫については、本体下部にキャスターが設けられていることから、踏み台として使用する際の安全性を考慮し、本体が移動することのないように安定して配置されるような工夫がなされている。
【０００５】
たとえば、特許文献１には、本体は、スライドレールにより支持され、スライドレールに本体を引き出した状態に保持するロック機構を設けることが記載されている。
【０００６】
しかしながら、特許文献１に記載されたスライドレールによる本体の支持の場合、踏み台兼収納庫をキャビネットの前方に十分に引き出すためには、特許文献１にも記載されているように、スライドレールは、キャビネットに固定される固定レール、固定レールに引き出し可能に取り付けられる中間レールおよび中間レールに引き出し可能に取り付けられ、本体に固定される支持レールなどの一般に複数のレールから構成され、スライドレールそれ自体の構造が複雑となっているばかりでなく、複数のレールから構成されるため、レール相互間に、すなわち、特許文献１に記載されたスライドレールでは、固定レールと中間レールとの間、中間レールと支持レールとの間のそれぞれにロック機構を設ける必要があり、踏み台兼収納庫をロック状態にするための構造が複雑化している。
【０００７】
このようなスライドレールによる本体の支持に替わるものとして、特許文献２に記載された踏み台兼収納庫が提案されている。特許文献２に記載された踏み台兼収納庫では、本体の背面下部に左右方向に延びる凹所が形成され、凹所の左右両端部にキャスターが、本体背面から後方にわずかに突出するように固着され、踏み台として使用するとき、踏み台兼収納庫は、本体底面の略全面が床に接するように置かれ、キャスターが床との間に所要寸法の隙間が形成されるようにしている。
【０００８】
特許文献２に記載された踏み台兼収納庫は、スライドレールにより本体を支持しないため、その分構造が簡略化されてはいるが、床に直置きされた状態で移動しないように安定に配置されるために、本体背面に、先端部にパッドが固着されたストッパーレバーが上下に回動自在に配設されている。したがって、踏み台として使用する際には、ストッパーレバーを下方に回動させてパッドを床面に圧接させるという操作が必要であり、この操作が煩わしいものとなっている。
【０００９】
また、特許文献２に記載された踏み台兼収納庫は、引き出す際に、本体の正面を持ち上げ、背面下がりに傾斜させ、本体底面を床面から離し、キャスターを床面に接触させなければならない。物品が収納された状態での本体の持ち上げは、たとえ正面であっても操作する者には負担であり、しかも、キャビネットの収納部に、物品の収納に直接関係しない、本体正面を持ち上げるためだけの空間が高さ方向に必要であるという問題も指摘される。
【特許文献１】特開２００４−２９８４３３号公報
【特許文献２】特開２００７−６３７９４号公報
【発明の開示】
【発明が解決しようとする課題】
【００１０】
本発明は、以上の通りの事情に鑑みてなされたものであり、キャビネットの収納部からの引き出しと収納とを容易に実現するとともに、踏み台として使用するときにロック状態に容易に保持される踏み台兼収納庫を提供することを課題としている。
【課題を解決するための手段】
【００１１】
本発明は、上記の課題を解決するために、以下の特徴を有する。
【００１２】
第１の発明は、物品の収納空間を有する箱形形状の本体の下部に本体から下方に突出するキャスターが設けられ、キャビネットの収納部からの引き出しと収納とが可能とされるとともに、本体上端部に踏み板が開閉自在に設けられた踏み台兼収納庫であって、下部に切欠を有するロックバーが、前記本体の後端部の左右両側のそれぞれの外側方に上下に回動自在に配設され、２つのロックバーは連結され、踏み台兼収納庫の引き出し位置に対応して本体側部に対向するキャビネットの収納部の左右両側のそれぞれの内側部に前記切欠に嵌合可能なストッパーが内方に突設され、踏み台兼収納庫を引き出したときにロックバーが下方に回動し、切欠にストッパーが嵌り込み、踏み台兼収納庫がロックされた状態に保持されることを特徴としている。
【００１３】
第２の発明は、上記第１の発明において、前記ロックバーは下部の前後方向に複数の切欠を有し、いずれの切欠もストッパーの嵌合が可能とされていることを特徴としている。
【００１４】
第３の発明は、上記第１または２の発明において、本体後端部のロックバーと重ならない位置に外側方に突出するリブが設けられ、踏み台兼収納庫の引き出し位置に対応して本体側部に対向するキャビネットの収納部の内側部にリブの上面に接触可能な跳ね上がり防止部材が配設され、踏み板の前端部に荷重がかかり、本体後端部が上方に跳ね上がりそうになったときに、リブの上面が跳ね上がり防止部材に接触し、跳ね上がり防止部材がリブを下方に押し戻し、本体後端部の跳ね上がりを防止することを特徴としている。
【発明の効果】
【００１６】
上記第１の発明によれば、物品の収納空間を有する箱形形状の本体の下部に本体から下方に突出するキャスターが設けられ、本体上端部に踏み板が開閉自在に設けられているため、スライドレールを備えていなくとも、キャビネットの収納部からそのまま前方に引き出すことができ、また、後方にそのまま押し戻してキャビネットの収納部に納めることができる。引き出しおよび収納の操作が容易であるとともに、キャビネットの収納部は、踏み台兼収納庫の高さに対応した高さに抑えることができる。
【００１７】
また、上記第１の発明によれば、下部に切欠を有するロックバーが、踏み台兼収納庫の本体後端部の外側方に上下に回動自在に配設され、踏み台兼収納庫の引き出し位置に対応して本体側部に対向するキャビネットの収納部の内側部に切欠に嵌合可能なストッパーが内方に突設されているので、踏み台兼収納庫を引き出したとき、ロックバーが下方に回動し、切欠にストッパーが嵌り込み、踏み台兼収納庫がロックされた状態に保持される。したがって、踏み台として使用するときの踏み台兼収納庫のロック状態の保持を簡易な構造により容易に実現することができ、また、人手による操作は要しない。
【００１８】
さらに、上記第１の発明によれば、ロックバーが、本体後端部において左右両側のそれぞれの外側方に配設され、２つのロックバーは連結され、ストッパーが、踏み台兼収納庫の引き出し位置に対応してキャビネットの収納部の左右両側のそれぞれの内側部に突設されているので、２つのロックバーを同時に連動させてロック解除することができ、ロック解除が容易であり、片手での操作が可能である。
【００１９】
上記第２の発明によれば、上記第１の発明の効果に加え、ロックバーは下部の前後方向に複数の切欠を有し、いずれの切欠もストッパーの嵌合が可能とされているので、踏み台兼収納庫がまっすぐではなく斜めに引き出されることがあっても、２つのロックバーにおいていずれかの一つの切欠にストッパーが嵌り込むことができるため、キャビネットに対し斜めに傾いて引き出された状態でも踏み台兼収納庫のロックは可能であり、ロック状態に保持することができる。
【００２０】
上記第３の発明によれば、上記第１または２の発明の効果に加え、本体後端部のロックバーと重ならない位置に外側方に突出するリブが設けられ、踏み台兼収納庫の引き出し位置に対応して本体側部に対向するキャビネットの収納部の内側部にリブの上面に接触可能な跳ね上がり防止部材が配設されているので、踏み板の前端部に荷重がかかり、本体後端部が上方に跳ね上がりそうになったときに、リブの上面が跳ね上がり防止部材に接触し、跳ね上がり防止部材がリブを下方に押し戻し、本体後端部の跳ね上がりを防止することができる。踏み台としての安定性が向上する。
【発明を実施するための最良の形態】
【００２１】
図１、図２は、それぞれ、本発明の踏み台兼収納庫の一実施形態をキャビネットとともに示した斜視図、正面図である。
【００２２】
図１および図２に示した踏み台兼収納庫１は、物品の収納空間を有する箱形形状の本体２を備えている。本体２は、表面に化粧が施された前板３、背板４、左右の両側板５および底板６から上方に開口する直方体状の箱に組み上げられ、内部に収納空間が形成されている。本体２の下部には、本体２から下方に突出するキャスター７が前後左右の計４箇所に設けられ、底板６に固定されている。キャスター７は、キャビネット８の底板９および床面１０上を走行可能とされている。本体２の上端部には、上端開口を開閉する踏み板１１が設けられている。踏み板１１は、たとえば、後端縁部においてヒンジを用いて本体２の背板４の上端縁部に接続することができ、この場合、踏み板１１は、ヒンジを回動の中心として上下に回動自在となり、前端側などを持ち上げることにより踏み板１１を開けることができ、本体２の収納空間から物品を取り出し、また、収納することができる。この他、踏み板１１は、裏面コーナー部などにリブを突設してリブを本体２の上端内周部に係合させることにより装着することも可能であり、この場合にも踏み板１１は、本体２の上端開口を開閉することができる。踏み板１１の開閉には様々な方式を採用することができる。
【００２３】
このような踏み台兼収納庫１は、キャビネット８の下部に形成された箱状の収納部１２からの引き出しと収納とが可能とされている。本体２の前板３の上端に取っ手部１３が配設されている。取っ手部１３を握ってそのままキャビネット８の前方に引くことによって踏み台兼収納庫１は、キャビネット８の前方に引き出される。本体２の収納空間からの物品の収納、取り出しは、この引き出した状態において行う。作業終了後には、踏み板１１を閉め、取っ手部１３および前板３を含めた本体２の前面部を後方に押し、踏み台兼収納庫１をそのままキャビネット８の収納部１２に納める。踏み台兼収納庫１の引き出しおよび収納は、キャスター７の転動によってスムーズに行われ、キャビネット８の底板９から床面１０に乗り移って引き出されるとともに、床面１０から底板９に乗り上げてキャビネット８の収納部１２に納められる。
【００２４】
このように、踏み台兼収納庫１は、スライドレールを備えてなくとも、キャビネット８の収納部１２からの引き出しと収納とが可能とされ、また、引き出しおよび収納に際し、本体２の前面部を上方に持ち上げる必要がなく、そのまま前後に操作することができ、踏み台兼収納庫１の引き出しおよび収納の操作は容易である。しかも、キャビネット８の収納部１２は、踏み台兼収納庫１の高さに対応した高さに抑えることができる。
【００２５】
また、踏み台兼収納庫１には、キャビネット８の前方に引き出し、踏み板１１の上に乗ってキャビネット８の上部から物品を取り出し、収納する際に、踏み台兼収納庫１が安定して床面１０上に配置されるようにロック機構が設けられ、ロック機構として、ロックバー１４およびストッパー１５から構成される簡易なものが採用されている。
【００２６】
図３＜ａ＞＜ｂ＞＜ｃ＞は、それぞれ、ロックバーを拡大して示した正面図、平面図、＜ａ＞図中のＡ−Ａ断面図である。
【００２７】
ロックバー１４は、下端に前方から後方に向かって斜め下方に傾斜する下り面１６を有し、後端部下部に、斜め前方にやや傾斜し、前後に並置された２つの切欠１７ａ、１７ｂを有している。切欠１７ａ、１７ｂは、ともに、ロックバー１４の後端部下端から上方に向かって形成されている。ロックバー１４には、前方に位置する切欠１７ａの前方から前端にかけて、ロックバー１４の外形にほぼ一致する形状を有する保護キャップ１８が装着されている。
【００２８】
このようなロックバー１４は、後端部において固定プレート１９に連結ピン２０によって回転自在に配設されている。固定プレート１９は、図１に示したように、踏み台兼収納庫１の本体２の後端部において側板５にビスなどの固着具によって固定される。したがって、踏み台兼収納庫１においてロックバー１４は、本体２の後端部の外側方に上下に回動自在に配設されている。図２に示したように、ロックバー１４は、本体２の左右両側板５にそれぞれ配設されている。そして、ロックバー１４には、図３＜ａ＞＜ｂ＞に示したように、保護キャップ１８の真後ろの上端部に連結片２１が固定プレート１９側に突設され、図２に示したように、本体２の左右両側板５にそれぞれ配設された２つのロックバー１４は、連結片２１においてビスなどの固着具により固定される連結バー２２によって連結されている。このような連結バー２２の架け渡しによるロックバー１４の連結を実現し、また、ロックバー１４の上下の回動が自在となるように、本体２には、図１に示したように、左右両側板５の後端上部に円形でやや大きめの開口２３が形成されている。開口２３は、連結バー２２の配設にともなう本体２の収納空間からの物品の取り出し、収納を阻害することのないように、背板４の後方に配置されている。開口２３は矩形形状のものであってもよい。
【００２９】
ストッパー１５は、キャビネット８の収納部１２の内側部に配設されている。具体的には、図４に拡大して示したように、ストッパー１５は、ダボ状のものであり、キャビネット８の左右両側板２４の内側面部にそれぞれ配設され、収納部１２において内方に突出している。ストッパー１５の配置位置は、図１に示したように、踏み台兼収納庫１の引き出し位置に対応し、しかも、ロックバー１４の切欠１７ａ、１７ｂに嵌合可能な位置とされている。
【００３０】
ロックバー１４およびストッパー１５から構成されるロック機構は、図５＜ａ＞＜ｂ＞＜ｃ＞に示したように作動する。
【００３１】
図５＜ａ＞に示したように、踏み台兼収納庫１がキャビネット８の収納部１２に納められているときは、互いに離れて位置し、この状態はロック機構の非作動時に相当し、踏み台兼収納庫１は、前後の移動が自在とされている。なお、ロックバー１４は、自重によって前端がストッパー１５より下側に前傾しないように保持されている。たとえば、ロックバー１４の前端部をばねなどの弾性体による弾性力の付与などにより、保持することができる。
【００３２】
踏み台兼収納庫１を引き出すと、ロックバー１４がストッパー１５に接近し、図５＜ｂ＞に示したように、ストッパー１５は、ロックバー１４の前端側の下り面１６に接触し、踏み台兼収納庫１の引き出しにつれてロックバー１４を連結ピン２０を回動の中心として押し上げる。このときのロックバー１４の上方回動は、下り面１６、さらに保護キャップ１８の装着によってスムーズに行われ、また、保護キャップ１８は、ロックバー１４とストッパー１５との接触による摩擦音を軽減させ、音鳴りを抑制する。
【００３３】
踏み台兼収納庫１の引き出し位置では、図５＜ｃ＞に示したように、ロックバー１４の下部に有する前後の切欠１７ａ、１７ｂのいずれか一方の下方にストッパー１５が位置するため、ロックバー１４は自重により下方に回動し、たとえば、切欠１７ａにストッパー１５が嵌り込む。この状態がロック機構の作動時であり、踏み台兼収納庫１は、引き出し位置にロックされ、ロック状態に保持される。ロック状態では、図１に示したように、キャスター７が床面１０上に位置していても前後左右に移動することはなく、不動状態となる。したがって、踏み板１１を閉じ、その上に乗って踏み台兼収納庫１を踏み台として使用することができる。
【００３４】
このように、踏み台兼収納庫１は、ロックバー１４およびストッパー１５から構成される簡易なロック機構を採用しており、簡易なロック機構であっても、踏み台兼収納庫１を引き出し位置において確実にロックし、ロック状態に保持することができ、踏み台として使用するときの踏み台兼収納庫１のロック状態の保持を容易に実現することができる。また、ロックのために人手による操作は要しない。ロック機構は自動的に作動する。
【００３５】
踏み台として使用後、踏み台兼収納庫１をキャビネット８の収納部１２に納める際には、図２に示したように、連結バー２２を上方に持ち上げ、図５＜ｄ＞に示したように、ロックバー１４を上方に回動させ、切欠１７ａからストッパー１５を抜き外す。ロックが解除される。踏み台兼収納庫１は、本体２の前面部を後方に押し込むことにより後方へ移動し、キャビネット８の収納部１２に納めることができる。このように、本体２の左右両側板５に配設された２つのロックバー１４は、連結バー２２によって連結されているので、２つのロックバー１４を個別にではなく、同時に連動させてロック解除することができ、ロック解除が容易であり、連結バー２２の操作は片手でも可能である。本体２の左右両側板５とキャビネット８の左右両側板２４とが接近しているような場合では、特に連結バー２２によるロック解除は有効であり、ロック解除のために手を挟み込むなどの危険性はなく、子供やお年寄りなどに操作容易となる。
【００３６】
また、踏み台兼収納庫１が採用しているロック機構におけるロックバー１４は、上記の通り、下部の前後方向に２つの切欠１７ａ、１７ｂを有している。このため、図６に示したように、踏み台兼収納庫１が、まっすぐではなく、やや左側に斜めに引き出されるようなことがあっても（踏み台兼収納庫１は、スライドバーなどのガイド手段を備えていないので、このような引き出し状態が起こる場合もありうる）、いずれの切欠１７ａ、１７ｂもストッパー１５の嵌合が可能とされているので、２つのロックバー１４においていずれかの切欠１７ａ、１７ｂにストッパー１５が嵌り込むことができるため（図６に示した状態では、右側のロックバー１４は前方の切欠１７ａにストッパー１５が嵌り込み、左側のロックバー１４では後方の切欠１７ｂにストッパー１５が嵌り込んでいる）、キャビネット８に対し斜めに傾いて引き出された状態でも踏み台兼収納庫１のロックは可能であり、ロック状態に保持される。踏み台として安定な使用が可能である。ロックバー１４において切欠は切欠１７ａ、１７ｂの２つに限られず、本体２の大きさなどに応じて適宜増やすことができる。また、踏み台兼収納庫１が、やや右側に斜めに引き出されるときも、同様にロックされ、ロック状態に保持される。
【００３７】
さらに、図１および図２に示した踏み台兼収納庫１には、図７＜ａ＞＜ｂ＞にも示したように、本体２の後端部のロックバー１４と重ならない位置に外側方に突出するリブ２５が設けられている。リブ２５は、本体２の左右いずれか一方または両方の側板５の後端部において外方に突出して配設されている。キャビネット８の収納部１２には、踏み台兼収納庫１の引き出し位置に対応して本体２の側部に対向する内側部にリブ２５の上面に接触可能な跳ね上がり防止部材２６が配設されている。跳ね上がり防止部材２６は、キャビネット８の側板２４の内側面に内方に突出するように配設されている。図７＜ａ＞に示した跳ね上がり防止部材２６は断面Ｌ字形形状を有し、図７＜ｂ＞に示した跳ね上がり防止部材２６は断面コ字形形状を有している。
【００３８】
このようなリブ２５および跳ね上がり防止部材２６の配設によって、図１に示したような踏み台兼収納庫１の引き出し位置において踏み板１１の前端部に荷重がかかったとき、本体２の後端部は上方に跳ね上がりそうになるが、リブ２５の上面が、跳ね上がり防止部材２６の上片２７の下面に接触するため、跳ね上がり防止部材２６が、リブ２５を下方に押し戻し、本体２の後端部の跳ね上がりを防止することができる。したがって、踏み台兼収納庫１は、踏み台としてさらに安定なものとなっている。
【図面の簡単な説明】
【００４０】
【図１】本発明の踏み台兼収納庫の一実施形態をキャビネットとともに示した側面図である。
【図２】図１に示した踏み台兼収納庫の正面図である。
【図３】＜ａ＞＜ｂ＞＜ｃ＞は、それぞれ、ロックバーを拡大して示した正面図、平面図、＜ａ＞図中のＡ−Ａ断面図である。
【図４】ストッパーおよびその周辺を拡大して示した要部斜視図である。
【図５】＜ａ＞＜ｂ＞＜ｃ＞＜ｄ＞は、それぞれ、ロックバーとストッパーとから構成されるロック機構の作動およびロック解除操作を示した要部行程側面図である。
【図６】図１に示した踏み台兼収納庫の引き出し状態を例示した平面図である。
【図７】＜ａ＞＜ｂ＞は、それぞれ、図１に示した踏み台兼収納庫の後端部をキャビネットとともに拡大して示した要部断面図である。
【符号の説明】
【００４１】
１  踏み台兼収納庫
２  本体
７  キャスター
８  キャビネット
１１  踏み板
１２  収納部
１４  ロックバー
１５  ストッパー
１７ａ、１７ｂ  切欠
２５  リブ
２６  跳ね上がり防止部材
【図１】
0004456625.tif 000002
【図２】
0004456625.tif 000003
【図３】
0004456625.tif 000004
【図４】
0004456625.tif 000005
【図５】
0004456625.tif 000006
【図６】
0004456625.tif 000007
【図７】
0004456625.tif 000008